【手続補正書】
【提出日】平成19年12月17日(2007.12.17)
【手続補正１】
【補正対象書類名】明細書
【補正対象項目名】発明の名称
【補正方法】変更
【補正の内容】
【発明の名称】データ処理装置、データ処理方法、記憶媒体
【手続補正２】
【補正対象書類名】明細書
【補正対象項目名】特許請求の範囲
【補正方法】変更
【補正の内容】
【特許請求の範囲】
【請求項１】  通信媒体を介して印刷装置と通信可能なデータ処理装置であって、
他のデータ処理装置から前記印刷装置に印刷が指示された印刷ドキュメントを前記印刷装置に送信するための要求を、前記印刷装置から受信する受信手段と、
前記印刷装置の特徴を示す情報を記憶する記憶手段と、
前記受信手段によって受信された要求によって指定された前記印刷ドキュメントを分析する分析手段と、
前記記憶手段によって記憶された情報と前記分析手段による分析結果に基づき、前記印刷ドキュメントをベクタ表現形式とイメージ形式のどちらのデータ形式で前記印刷装置に送信すべきかを決定する決定手段と、
前記決定手段により決定されるデータ形式に基づき、前記印刷ドキュメントを前記印刷装置に送信する送信手段と、
を有することを特徴とするデータ処理装置。
【請求項２】  前記ベクタ表現形式の印刷ドキュメントは、ＸＭＬを用いて記述されることを特徴とする請求項１記載のデータ処理装置。
【請求項３】  前記分析手段により収集される印刷ドキュメントの特徴は、データ量、ベクタの複雑さ、背景面に関係する描画処理の有無の少なくとも何れかを含むことを特徴とする請求項１又は２に記載のデータ処理装置。
【請求項４】  複数の印刷ドキュメントを記憶する印刷ドキュメント記憶手段を備え、
前記分析手段は、前記印刷ドキュメント記憶手段によって記憶された印刷ドキュメントのうち前記受信手段によって受信された要求に含まれるＵＲＬによって特定された印刷ドキュメントを分析することを特徴とする請求項１乃至３の何れかに記載のデータ処理装置。
【請求項５】
前記印刷ドキュメント記憶手段にベクタ表現形式で記憶された印刷ドキュメントを、イメージ形式の印刷ドキュメントに変換する変換手段を更に有することを特徴とする請求項４記載のデータ処理装置。
【請求項６】  
通信媒体を介して印刷装置と通信可能なデータ処理装置におけるデータ処理方法であって、
他のデータ処理装置から前記印刷装置に印刷が指示された印刷ドキュメントを前記印刷装置に送信するための要求を、前記印刷装置から受信する受信ステップと、
前記受信ステップによって受信された要求によって指定された前記印刷ドキュメントを分析する分析ステップと、
記憶手段によって記憶された前記印刷装置の特徴を示す情報と前記分析ステップによる分析結果に基づき、前記印刷ドキュメントをベクタ表現形式とイメージ形式のどちらのデータ形式で前記印刷装置に送信すべきかを決定する決定ステップと、
前記決定ステップにより決定されるデータ形式に基づき、前記印刷ドキュメントを前記印刷装置に送信する送信ステップと、
を有することを特徴とするデータ処理方法。
【請求項７】  前記ベクタ表現形式の印刷ドキュメントは、ＸＭＬを用いて記述されることを特徴とする請求項６記載のデータ処理方法。
【請求項８】  前記分析ステップにより収集される印刷ドキュメントの特徴は、データ量、ベクタの複雑さ、背景面に関係する描画処理の有無の少なくとも何れかを含むことを特徴とする請求項６又は７に記載のデータ処理方法。
【請求項９】
前記分析ステップは、印刷ドキュメント記憶手段によって記憶された複数の印刷ドキュメントのうち前記受信ステップによって受信された要求に含まれるＵＲＬによって特定された印刷ドキュメントを分析することを特徴とする請求項６乃至８の何れかに記載のデータ処理方法。
【請求項１０】
前記印刷ドキュメント記憶手段にベクタ表現形式で記憶された印刷ドキュメントを、イメージ形式の印刷ドキュメントに変換する変換ステップを更に有することを特徴とする請求項９記載のデータ処理方法。
【請求項１１】  
通信媒体を介して印刷装置と通信可能なデータ処理装置を制御するコンピュータに、
他のデータ処理装置から前記印刷装置に印刷が指示された印刷ドキュメントを前記印刷装置に送信するための要求を、前記印刷装置から受信する受信手段と、
前記印刷装置の特徴を示す情報を記憶する記憶手段と、前記受信手段によって受信された要求によって指定された前記印刷ドキュメントを分析する分析手段と、
前記記憶手段によって記憶された情報と前記分析手段による分析結果に基づき、前記印刷ドキュメントをベクタ表現形式とイメージ形式のどちらのデータ形式で前記印刷装置に送信すべきかを決定する決定手段と、
前記決定手段により決定されるデータ形式に基づき、前記印刷ドキュメントを前記印刷装置に送信する送信手段と、
して機能させるためのプログラムを記録したコンピュータ読み取り可能な記録媒体。
【請求項１２】  前記ベクタ表現形式の印刷ドキュメントは、ＸＭＬを用いて記述されることを特徴とする請求項１１記載の記憶媒体。
【請求項１３】  前記分析手段により収集される印刷ドキュメントの特徴は、データ量、ベクタの複雑さ、背景面に関係する描画処理の有無の少なくとも何れかを含むことを特徴とする請求項１１又は１２に記載の記憶媒体。
【請求項１４】  
前記分析手段は、印刷ドキュメント記憶手段によって記憶された複数の印刷ドキュメントのうち前記受信手段によって受信された要求に含まれるＵＲＬによって特定された印刷ドキュメントを分析することを特徴とする請求項１１乃至１３の何れかに記載の記憶媒体。
【請求項１５】
前記印刷ドキュメント記憶手段にベクタ表現形式で記憶された印刷ドキュメントを、イメージ形式の印刷ドキュメントに変換する変換手段を更に有することを特徴とする請求項１４記載の記憶媒体。
【手続補正３】
【補正対象書類名】明細書
【補正対象項目名】０００１
【補正方法】変更
【補正の内容】
【０００１】
【発明の属する技術分野】
本発明は、通信媒体を介して印刷装置と通信可能なデータ処理装置のデータ処理に関するものである。
【手続補正４】
【補正対象書類名】明細書
【補正対象項目名】００３０
【補正方法】変更
【補正の内容】
【００３０】
本発明は、上記の課題を解決するためになされたもので、本発明の目的は、印刷ドキュメントを印刷しようとしているデータ処理装置側のデータ処理負担を強いることなく、いずれかのデータ処理装置から受け取って転送すべき転送先の印刷装置に最適なパフォーマンスが得られデータ形式で印刷ドキュメントを印刷装置に転送でき、該印刷装置における印刷ドキュメント処理負担を軽減して、効率よく印刷ドキュメントを短時間に出力できる仕組みを提供することである。
【手続補正５】
【補正対象書類名】明細書
【補正対象項目名】００３１
【補正方法】変更
【補正の内容】
【００３１】
本発明に係るデータ処理装置は、以下の特徴的構成を備える。
通信媒体を介して印刷装置と通信可能なデータ処理装置であって、他のデータ処理装置から前記印刷装置に印刷が指示された印刷ドキュメントを前記印刷装置に送信するための要求を、前記印刷装置から受信する受信手段と、前記印刷装置の特徴を示す情報を記憶する記憶手段と、前記受信手段によって受信された要求によって指定された前記印刷ドキュメントを分析する分析手段と、前記記憶手段によって記憶された情報と前記分析手段による分析結果に基づき、前記印刷ドキュメントをベクタ表現形式とイメージ形式のどちらのデータ形式で前記印刷装置に送信すべきかを決定する決定手段と、前記決定手段により決定されるデータ形式に基づき、前記印刷ドキュメントを前記印刷装置に送信する送信手段とを有することを特徴とする。
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】００４０
【補正方法】削除
【補正の内容】
【手続補正１５】
【補正対象書類名】明細書
【補正対象項目名】００４１
【補正方法】削除
【補正の内容】
【手続補正１６】
【補正対象書類名】明細書
【補正対象項目名】００４２
【補正方法】削除
【補正の内容】
【手続補正１７】
【補正対象書類名】明細書
【補正対象項目名】００８５
【補正方法】変更
【補正の内容】
【００８５】
【発明の効果】
以上説明したように、本発明によれば、印刷ドキュメントを印刷しようとしているデータ処理装置側のデータ処理負担を強いることなく、いずれかのデータ処理装置から受け取って転送すべき転送先の印刷装置に最適なパフォーマンスが得られデータ形式で印刷ドキュメントを印刷装置に転送でき、該印刷装置における印刷ドキュメント処理負担を軽減して、効率よく印刷ドキュメントを短時間に出力できる。
【手続補正１８】
【補正対象書類名】明細書
【補正対象項目名】００８６
【補正方法】削除
【補正の内容】